(57)【要約】【課題】本発明は、花卉用ラベルを、容易に且つ適切な巻き代を有して作成することができるラベル作成装置を提供することを課題としている。【解決手段】花卉に関連するテキストデータを入力するテキスト入力手段６１,６５,７１と、花卉に関連する複数種の特定文字列と、特定文字列に対応付けられた個別マーク間距離を記憶する個別距離ＤＢ７２と、テキストデータに含まれる特定文字列を検出する文字列検出手段６５,７３と、特定文字列に対応付けられた個別マーク間距離を読み出す個別距離読出手段６５,７４と、個別マーク間距離に基づいて、マーク間距離を設定するマーク間距離設定手段６５,７５と、印刷テープＴに、設定されたマーク間距離に基づいて、切込みカットマーク８および通し穴カットマーク９をそれぞれ印刷する印刷部６２と、を備えた。【選択図】図６
2009226688.tif 000002
【特許請求の範囲】
【請求項１】
交差部分で係止受け部に係止部を係止し、花卉に巻回するようにして取り付けられる花卉用ラベルとして用いられ、
前記係止受け部の目安となる受け部カットマークおよび前記係止部の目安となる係止部カットマークがそれぞれ印刷されたラベルを作成するラベル作成装置であって、
花卉に関連するテキストデータを入力する入力手段と、
前記入力手段により入力された前記テキストデータに含まれる花卉に関連する特定文字列を検出する文字列検出手段と、
前記特定文字列に対応付けられた前記特定文字列の長さ情報を記憶する記憶手段と、
検出された前記特定文字列に対応付けられた前記長さ情報を、前記記憶手段から読み出す長さ情報読出手段と、
読み出された前記長さ情報に基づいて、前記受け部カットマークから前記係止部カットマークまでの長さを設定するカットマーク間距離設定手段と、
設定された長さを基に、印刷対象物に、前記受け部カットマークおよび前記係止部カットマークをそれぞれ印刷する印刷手段と、を備えたことを特徴とするラベル作成装置。
【請求項２】
前記印刷対象物は、印刷テープであり、
前記印刷テープを、前記印刷手段による印刷済み部分を含んで所定のラベル長に切断する切断手段をさらに備えたことを特徴とする請求項１に記載のラベル作成装置。
【請求項３】
前記印刷手段は、前記印刷対象物における前記受け部カットマークおよび前記係止部カットマーク以外の部分に、前記テキストデータに基づいて生成された印字データを印刷することを特徴とする請求項１または２に記載のラベル作成装置。
【請求項４】
前記特定文字列は、前記花卉の名称を表す名称文字列を含むことを特徴する請求項１ないし３のいずれか１項に記載のラベル作成装置。
【請求項５】
前記特定文字列は、前記花卉の値段を表す値段文字列を含むことを特徴とする請求項１ないし４のいずれか１項に記載のラベル作成装置。
【請求項６】
前記特定文字列は、前記花卉の用途を表す用途文字列を含むことを特徴とする請求項１ないし５のいずれか１項に記載のラベル作成装置。
【請求項７】
前記特定文字列は、前記花卉のサイズを表すサイズ文字列を含むことを特徴とする請求項１ないし６のいずれか１項に記載のラベル作成装置。
【発明の詳細な説明】
【技術分野】
【０００１】
本発明は、交差部分で係止受け部に係止部を係止し、花卉の茎や幹、枝等に巻回するようにして取り付けられる花卉用ラベルとして用いられ、係止受け部の目安となる受け部カットマークおよび係止部の目安となる係止部カットマークがそれぞれ印刷されたラベルを作成するラベル作成装置に関するものである。
【背景技術】
【０００２】
従来、この種の花卉用ラベル（表札札）として、花卉用ラベルの先端部に形成された通し穴と、ラベルの中間部に形成され、幅方向で向かい合う半円状一対の切欠き部と、を有したものが知られている（非特許文献１参照）。この花卉用ラベルは、花卉に巻き付けて使用するものである。花卉に巻きつけた状態で、先端部に対する後端側を幅方向で屈曲させて通し穴に差し込み、通し穴と一対の切欠き部が係合した状態となったら、後端側を伸展させることで、花卉用ラベルの交差部分で一対の切欠き部が通し穴に係止する。これにより、花卉用ラベルを花卉に括り付けるものである。また、一対の切欠き部は、テープ長方向に２組形成されており、花卉に対する巻き代を調整することができるようになっている。
【非特許文献１】意匠登録第３８８６５５号
【発明の開示】
【発明が解決しようとする課題】
【０００３】
しかしながら、このような花卉用ラベルでは、２組の切欠き部で２段階しか巻き代を調整することができないという問題があった。巻付け対象となる花卉は、多数の種類を有し、また、花卉用ラベルは、花束の束ねた部分に使用される場合もある。そのため、花卉用ラベルの巻付け部分の太さは多種多様であり、巻き代を細かく調整できる必要がある。また、巻き代を調整するために２組の切欠き部を形成するため、花卉用ラベルの作成が煩雑であるという問題があった。当然、巻き代を細かく調整するために、切欠き部の組数を増やすと、さらに花卉用ラベルの作成が煩雑となってしまう。
【０００４】
本発明は、花卉用ラベルを、容易に且つ適切な巻き代を有して作成することができるラベル作成装置を提供することを課題としている。
【課題を解決するための手段】
【０００５】
本発明のラベル作成装置は、交差部分で係止受け部に係止部を係止し、花卉に巻回するようにして取り付けられる花卉用ラベルとして用いられ、係止受け部の目安となる受け部カットマークおよび係止部の目安となる係止部カットマークがそれぞれ印刷されたラベルを作成するラベル作成装置であって、花卉に関連するテキストデータを入力する入力手段と、入力手段により入力されたテキストデータに含まれる花卉に関連する特定文字列を検出する文字列検出手段と、特定文字列に対応付けられた特定文字列の長さ情報を記憶する記憶手段と、検出された特定文字列に対応付けられた長さ情報を、記憶手段から読み出す長さ情報読出手段と、読み出された長さ情報に基づいて、受け部カットマークから係止部カットマークまでの長さを設定するカットマーク間距離設定手段と、設定された長さを基に、印刷対象物に、受け部カットマークおよび係止部カットマークをそれぞれ印刷する印刷手段と、を備えたことを特徴とする。
【０００６】
この構成によれば、花卉に関連するテキストデータを入力し、入力したテキストデータに含まれる特定文字列に基づいて、受け部カットマークから係止部カットマークまでの長さを設定する。このマーク間の長さは花卉用ラベルの巻き代となるものであるため、各花卉に対応した巻き代を有する花卉用ラベルを作成することができる。また、複数の係止部を有する必要がないため、花卉用ラベルを容易に作成することができる。なお、ここにいう文字列は広義であり、文字数が複数である場合のみならず、１個の場合をも含む概念である。
【０００７】
この場合、印刷対象物は、印刷テープであり、印刷テープを、印刷手段による印刷済み部分を含んで所定のラベル長に切断する切断手段をさらに備えることが好ましい。
【０００８】
この構成によれば、適切なラベル長の花卉用ラベルを作成することができる。
【０００９】
この場合、印刷手段は、印刷対象物における受け部カットマークおよび係止部カットマーク以外の部分に、テキストデータに基づいて生成された印字データを印刷することが好ましい。
【００１０】
この構成によれば、入力したテキストデータに基づいて、印字データを生成して、印字する。また、入力したテキストデータに基づいて、受け部カットマークから係止部カットマークまでの長さを設定する。このように、入力した１のテキストデータに基づいて、花卉用ラベルの印字およびマーク間の長さ設定を行うことができるため、印字と長さ設定とで２回の入力を必要とせず、花卉用ラベルの作成処理を容易に行うことができる。なお、印字データが、画像データを含むものであっても良い。
【００１１】
この場合、特定文字列は、花卉の名称を表す名称文字列を含むことが好ましい。
【００１２】
この場合、特定文字列は、花卉の値段を表す値段文字列を含むことが好ましい。
【００１３】
この場合、特定文字列は、花卉の用途を表す用途文字列を含むことが好ましい。
【００１４】
この場合、特定文字列は、花卉のサイズを表すサイズ文字列を含むことが好ましい。
【００１５】
これらの構成によれば、特定文字列が、巻付け対象となる花卉の情報（名称、値段、用途および／またはサイズ）を示す文字列を含んでいることにより、テキストデータ中のこれら情報から、適切な巻き代（マーク間の長さ）を設定することができる。
【発明を実施するための最良の形態】
【００１６】
以下、添付の図面を参照して、本発明の一実施形態に係るテープ印刷装置（ラベル作成装置）について説明する。このテープ印刷装置は、印刷対象物である印刷テープに所定の印刷データを印刷し、且つ当該印刷テープをカットすることにより、花卉用ラベルの原型となる原型ラベルを作成するものである。ここで、テープ印刷装置について詳しく説明する前に、この花卉用ラベルおよび原型ラベルについて説明する。
【００１７】
図１（ａ）および（ｂ）に示すように、花卉用ラベル１は、花卉の茎、幹、枝等に巻回して取り付けられるものであり、短冊状のラベルで形成されている。短冊状のラベル上には、巻き端となる先端側から順に、一対の切込み線（係止部）２,２と、通し穴（係止受け部）３と、巻付け対象となる花卉（以下、対象花卉）の情報を印字する印字領域４と、が形成されている。一対の切込み線２,２は、印刷テープＴの幅方向から内側に延びて形成されている。一方、通し穴３は、印刷テープＴを貫通する穴であり、円形に形成されている。花卉用ラベル１を取り付ける際には、対象花卉の茎等に巻きつけた状態で、一対の切込み線２,２から先端側に位置する先端領域５を幅方向に屈曲（丸め）させて通し穴３に差し込み、伸展させる。通し穴３は、先端領域５を屈曲させた際に差込み可能で、且つ伸展させた際に抜出し不能に形成されており、先端領域５を伸展させると、花卉用ラベル１の交差部分で一対の切込み線２,２が通し穴３に係止し、巻付け状態で固定することができる。
【００１８】
図１（ｃ）に示すように、原型ラベル７は、短冊状のラベルで形成されており、短冊状のラベル上には、一対の切込み線２,２の目安となる切込みカットマーク（係止部カットマーク）８と、通し穴３の目安となる通し穴カットマーク（受け部カットマーク）９と、上記印字領域４と、が形成されている。テープ印刷装置１０とは別体となる専用切断機器（図示省略）により、切込みカットマーク８および通し穴カットマーク９に基づいてカットを行い、一対の切込み線２,２および通し穴３を形成する。これにより、花卉用ラベル１を作成する。すなわち、切込みカットマーク８から通し穴カットマーク９までの長さ（以下、マーク間距離）が、花卉用ラベル１の巻き代となる。なお、テープ印刷装置１０では、切込みカットマーク８、通し穴カットマーク９、および印字領域４への印字データを印刷すると共に、印刷テープＴを切断して、原型ラベル７を形成する。
【００１９】
図２および図３に示すように、テープ印刷装置１０は、印刷テープＴに対して印刷処理を行う装置本体１１と、印刷テープＴおよびインクリボンＲを収容し、装置本体１１に着脱自在に装着されるテープカートリッジＣとを備えている。
【００２０】
装置本体１１は、装置ケース１２により外殻が形成され、装置ケース１２の前半部上面には、文字等を入力するための複数の文字入力キー１３と、各種選択および確定処理等を行うための複数の機能キー１５と、を備えたキーボード１７が配設されている。
【００２１】
装置ケース１２の後半部左上面には、開閉蓋２１が広く設けられ、開閉蓋２１の上面には、テープカートリッジＣの装着／非装着を視認するための覗き窓２２が形成されていると共に、開閉蓋２１の前側にはこれを開放する蓋体開放ボタン２３が設けられている。後半部右上面には、キーボード１７からの入力結果等を表示するディスプレイ２４が形成されている。
【００２２】
蓋体開放ボタン２３を押して開閉蓋２１を開放すると、その内部には、テープカートリッジＣが装着されるカートリッジ装着部３１が窪入形成されており、カートリッジ装着部３１には、テープカートリッジＣから繰り出される印刷テープＴに印刷処理を行う印刷ヘッド４１が配設されている（図３参照）。
【００２３】
装置ケース１２の左側部には、カートリッジ装着部３１と装置外部とを連通するテープ排出口３２が形成され、このテープ排出口３２に臨んで装置ケース１２には、印刷テープＴを切断するための切断部３３が内蔵されている。また、図２および図３では省略したが、装置ケース１２の内部には、装置本体１１を統括制御する制御部６４（図４参照）を構成する回路基板が搭載されている。
【００２４】
カートリッジ装着部３１には、発熱素子を有しヘッドカバー４０に覆われた印刷ヘッド４１と、後述するテープリール５１の位置決めをする位置決め突起４２と、テープカートリッジＣの印刷テープＴおよびインクリボンＲを送り、印刷ヘッド４１に対峙するプラテン駆動軸４３およびインクリボンＲを巻き取る巻取り駆動軸４４とが突設されている。また、カートリッジ装着部３１には、カートリッジケース５０の裏面に形成された複数の被検出孔に対応してテープ識別センサ（図示省略）が設けられている。また、カートリッジ装着部３１には、プラテン駆動軸４３および巻取り駆動軸４４を駆動する印刷送りモータ４６（図４参照）や減速ギヤ列等（図示省略）が内蔵されている。
【００２５】
テープカートリッジＣは、カートリッジケース５０の内部に、印刷テープＴを巻回したテープリール５１と、右下部にインクリボンＲを巻回したリボン繰出しリール５２およびリボン巻取りリール５３とを収容して構成されている。また、テープリール５１の左下部には、印刷ヘッド４１を覆うヘッドカバー４０が差し込まれるための貫通開口５４が形成されている。さらに、印刷テープＴとインクリボンＲとが重なる部分に対応し、上記プラテン駆動軸４３に嵌合して回転駆動するプラテンローラ５５が配置されている。
【００２６】
テープカートリッジＣをカートリッジ装着部３１に装着すると、ヘッドカバー４０に貫通開口５４が、位置決め突起４２にテープリール５１が、巻取り駆動軸４４にリボン巻取りリール５３が、プラテン駆動軸４３にプラテンローラ５５が、それぞれ差し込まれ、この状態で開閉蓋２１を閉蓋すると、これに連動して、印刷ヘッド４１が、印刷テープＴおよびインクリボンＲを挟み込んでプラテンローラ５５に当接し、印刷待機状態となる。そして、後述する印刷データに基づき、プラテン駆動軸４３および巻取り駆動軸４４が同期回転して、印刷テープＴおよびインクリボンＲを送りながら、印刷ヘッド４１により印刷処理が行われる。これと共に、リボン繰出しリール５２から繰り出されたインクリボンＲは、貫通開口５４の開口壁を周回してリボン巻取りリール５３に巻き取られる。印刷後の印刷テープＴは、切断部３３により所定のテープ長（ラベル長）で切断され、原型ラベル７が作成される。
【００２７】
印刷テープＴは、テープ種別（テープ幅、テープ色、インクリボン色、テープ材質）が異なる複数種のものが用意されており、長尺の非粘着テープで構成されている。そして、印刷テープＴは、ロール状に巻回されてカートリッジケース５０に収容されている。カートリッジケース５０の裏面には、小さな複数の被検出孔（図示省略）が形成され、上記のテープ識別センサによってこの複数の被検出孔が検出されることにより、印刷テープＴの種別を識別できるようになっている。
【００２８】
次に、図４の制御ブロック図を参照し、テープ印刷装置１０の制御系について説明する。テープ印刷装置１０は、操作部６１と、印刷部（印刷手段）６２と、切断部（切断手段）３３と、テープ印刷装置１０の各部に接続され、テープ印刷装置１０全体を制御する制御部６４と、を備えている。操作部６１は、キーボード１７上の各種キーからのデータ入力や、印刷データ等のディスプレイ２４への表示など、ユーザインタフェースとして機能する。印刷部６２は、印刷テープＴに印刷を行う。切断部３３は、印刷テープＴを切断するフルカッタ５７及びこれを駆動するフルカッタモータ５８を有し、印刷部６２で印刷処理済みの印刷テープＴを所定長さとなるように切断する。
【００２９】
制御部６４は、ＣＰＵ（Central Processing Unit）６５と、ＣＰＵ６５で各種制御処理を行うための制御プログラムを有するＲＯＭ（Read Only Memory）６６と、各種制御処理の作業領域となるＲＡＭ（Random Access Memory）６７と、テープ印刷装置１０の各部と入力データや制御信号の入出力を行う入出力制御装置（ＩＯＣ：Input Output Controller）６８と、を備え、これらは互いに内部バスにより接続されている。ＣＰＵ６５は、ＲＯＭ６６内の制御プログラムに従って、ＩＯＣ６８を介してテープ印刷装置１０の各部から各種信号・データを入力する。また、ＣＰＵ６５は、入力した各種信号・データに基づいて、ＲＡＭ６７内の各種データを処理し、ＩＯＣ６８を介してテープ印刷装置１０の各部に各種信号・データを出力し、印刷処理の制御を行う。
【００３０】
ＲＯＭ６６内には、テキスト入力プログラム７１と、個別距離データベース（以下、個別距離ＤＢ）（記憶手段）７２と、文字列検出プログラム７３と、個別距離読出プログラム７４と、マーク間距離設定プログラム７５と、印字データ生成プログラム７６、印刷プログラム７８と、テープ長設定プログラム７７と、が記憶されている。
【００３１】
テキスト入力プログラム７１は、操作部６１により、対象花卉の情報をテキストデータとして入力するためのプログラムである。テキスト入力プログラム７１を実行するＣＰＵ６５は、テキストデータの入力画面をディスプレイ２４に表示させる。ユーザは、この入力画面を見ながら、キーボード１７を用いて、テキストデータ（対象花卉の情報）を入力する（入力手段）。ここで入力したテキストデータが、印字領域４に印字される印字データとなる。
【００３２】
個別距離ＤＢ７２は、花卉に関連する複数種の特定文字列と、個別マーク間距離（長さ情報）とを対応付けた記憶テーブル（図５参照）を記憶するデータベースである。ここで、複数種の特定文字列、および対応する個別マーク間距離について図５を参照して詳しく説明する。複数種の特定文字列として、対象花卉の用途を示す用途文字列と、対象花卉のサイズを示すサイズ文字列と、対象花卉の値段を示す値段文字列と、対象花卉の名称を示す名称文字列と、がある。用途文字列は、「誕生日」、「結婚」、「葬式」、「お祝い」といった項目にカテゴリー分けされており、各カテゴリーは、そのカテゴリーの用途を示す１以上の文字列を有している。例えば、カテゴリー「誕生日」では、「誕生日」「バースディ」「バースデー」といった文字列を有している。個別マーク間距離は、各カテゴリーに対応しており、各カテゴリーにおける用途の花束に使用する場合に、束ね部分に取り付ける最適なマーク間距離（巻き代）となるように設定されている。例えば、文字列が「バースデー」である場合、「誕生日」の花束に使用する適切なマーク間距離の「１０ｃｍ」に設定されている。
【００３３】
サイズ文字列は、「Ｓ」「Ｍ」「Ｌ」「大」「中」「小」といった文字列である。対応する個別マーク間距離は、各サイズの花束に使用する場合に、束ね部分に取り付ける適切なマーク間距離に設定されている。なお、このような「Ｓ」「Ｍ」「Ｌ」「大」「中」「小」といった文字を、サイズを示す以外でテキストデータとして用いる場合（例えば、花名を英語表記する場合、「Ｓ」は花名の中の１文字である場合がある）、これらがサイズを表した特定文字列かどうかを判別することが困難となってしまう。そのため、各サイズ文字列に括弧「（＊）」を加え、「（Ｓ）」「（Ｍ）」「（大）」としても良い。すなわち、サイズ文字列として、サイズを表す文字列に加え、サイズを表す文字列であることを判別するための判別文字列を有していても良い。
【００３４】
値段文字列は、「￥３０００」「１５００円」といった文字列である。すなわち、値段であることを判別する「￥」「円」といった判別文字列と、数字列とを有している。個別マーク間距離は、値段の範囲（例えば、「５００円未満」「５００円以上、１０００円未満」といったもの）に対応して設定されており、各範囲の値段の花束に使用する場合に、束ね部分に取り付ける最適なマーク間距離に設定されている。例えば、「５００円未満」なら「８ｃｍ」、「５００以上で１０００未満」なら「１２ｃｍ」といった設定になっている。なお、ユーザがテキストデータとして、値段のみにしか数字を使用しないのであれば、数字列を値段文字列として判別可能である。つまり、この場合、値段文字列は、値段を判別するための判別文字列を有していなくても良い。また、半角数字を、値段のみにしか使用しないのであれば、半角数字列を値段文字列としても良い。この場合、テキストデータとして全角数字列を自由に使用できる。
【００３５】
名称文字列は、「アブチロン」「サルビア」「セージ」といった花卉の名称を表す文字列である。対応する個別マーク間距離は、各名称の花卉に使用する場合に、最適なマーク間距離に設定されている。なお、ここで挙げた花卉の名称は、鉢に植える花卉のものであり、花卉用ラベル１を、花束の束ね部分ではなく、１の花卉の茎、幹、枝等に取り付けることものとして最適なマーク間距離を設定する。なお、花卉の名称を花束として使用される花卉の名称にし、当該花卉の花束の束ね部分に取り付ける最適なマーク間距離を設定するようにしても良い。
【００３６】
文字列検出プログラム７３は、特定文字列をテキストデータ中から検出するためのプログラムである。文字列検出プログラム７３を実行するＣＰＵ６５は、記憶テーブル上に記憶されている各種の特定文字列を、テキストデータ中から検出する（文字列検出手段）。厳密には、上記した種類別に特定文字列の有無を判定し、テキストデータ中の特定文字列を抽出する。なお、種別が同一であれば、複数の特定文字列が抽出されることはないが、異なる種別であれば、複数の特定文字列が抽出される場合がある。
【００３７】
個別距離読出プログラム７４は、特定文字列に対応する個別マーク間距離を読み出すためのプログラムである。個別距離読出プログラム７４を実行するＣＰＵ６５は、検出した特定文字列に対する個別マーク間距離を、個別距離ＤＢ７２の記憶テーブルから読み出す（長さ情報読出手段）。複数の特定文字列が検出された場合、複数の特定文字列に対応した複数の個別マーク間距離を記憶テーブルから読み出す。
【００３８】
マーク間距離設定プログラム７５は、マーク間距離を設定するためのプログラムである。マーク間距離設定プログラム７５を実行するＣＰＵ６５は、読み出された個別マーク間距離に基づいて、実際に印刷する切込みカットマーク８および通し穴カットマーク９のマーク間距離を設定する（カットマーク間距離設定手段）。なお、特定文字列が１つも検出されず、個別マーク間距離が読み出されなかった場合には、マーク間距離を予め設定された標準マーク間距離（例えば、「１０ｃｍ」）に設定する。
【００３９】
印字データ生成プログラム７６は、印字データを生成するためのプログラムである。印字データ生成プログラム７６を実行するＣＰＵ６５は、テキストデータに基づいて、印字領域４に印刷される印字データを生成する。なお、印字データは、印字領域４に印刷可能なものであれば文字列に限らず、画像データを有していても良い。
【００４０】
印刷プログラム７８は、印刷データを印刷部６２に印刷させるためのプログラムである。印刷プログラム７８を実行するＣＰＵ６５は、生成した印字データと、切込みカットマーク８および通し穴カットマーク９と、から成る印刷データを印刷部６２に印刷させる。印字データは、印字領域４に印刷させる。切込みカットマーク８および通し穴カットマーク９は、設定したマーク間距離を隔てて印刷させる。なお、印字領域４は、巻き代となる切込みカットマーク８と通し穴カットマーク９との間を避けて形成される（すなわち、この部分を避けて印字データが印刷される）。そのため、マーク間距離に応じて、印字領域４、すなわち印字データの印刷位置を変更する。
【００４１】
テープ長設定プログラム７７は、原型ラベル７（花卉用ラベル１）のテープ長を設定するためのプログラムである。テープ長設定プログラム７７を実行するＣＰＵ６５は、設定したマーク間距離に基づいて、作成する原型ラベル７（花卉用ラベル１）のテープ長を設定する。すなわち、マーク間距離が変化したとしても、常に、テープ長方向で所定長さの印字領域４を形成できるように、マーク間距離に合わせてテープ長を変更する。切断部３３は、設定したテープ長となるように印刷テープＴを切断する。
【００４２】
次に、図６を参照して、テープ印刷装置１０による原型ラベル７の作成フローについて説明する。なお、本例では、抽出した特定文字列の数を表すパラメータｉと、読み出した個別マーク間距離の合計値を表すパラメータｔと、を用いてマーク間距離の算出を行なう。各パラメータの初期値は、ｉ＝０、ｔ＝０とする。
【００４３】
まず、ＣＰＵ６５は、テキスト入力プログラム７１により、テキストデータの入力画面を表示する（Ｓ１）。本例では、ユーザは、「誕生日用  ８００円」と入力する。つまり、本例の作成動作で作成される原型ラベル７は、誕生日プレゼント用で、値段が８００円の花卉に取り付けられるものである。厳密には、ユーザは、文字入力キー１３により、文字列「誕生日用  ８００円」を入力し、機能キー１５で入力した当該文字列を確定し、入力を終了する。テキストデータの入力が終了したら、ＣＰＵ６５は、印字データ生成プログラム７６により、テキストデータに基づいて印字データを生成する（Ｓ２）。
【００４４】
次に、ＣＰＵ６５は、文字列検出プログラム７３により、入力したテキストデータ中の用途文字列の検出を行なう（Ｓ３）。用途文字列が検出された場合には（Ｓ３：Ｙｅｓ）、個別距離読出プログラム７４により、検出した用途文字列に対応する個別マーク間距離Ａ１を読み出す（Ｓ４）。個別マーク間距離Ａ１を読み出したら、検出された特定文字列の数ｉをカウントアップすると共に、合計値ｔに読み出した個別マーク間距離Ａ１を加算する（ｉ＝ｉ＋１、ｔ＝ｔ＋Ａ１）（Ｓ５）。一方、用途文字列が検出されない場合には（Ｓ３：Ｎｏ）、なにもせずに次の工程に進む。なお、本例では、テキストデータ中の「誕生日」が用途文字列であるため、「誕生日」に対応する個別マーク間距離Ａ１（１０ｃｍ）を読み出し、パラメータの計算を行なう（ｉ＝０＋１＝１、ｔ＝０＋１０ｃｍ＝１０ｃｍ）。
【００４５】
次に、ＣＰＵ６５は、文字列検出プログラム７３により、入力したテキストデータ中のサイズ文字列の検出を行なう（Ｓ６）。サイズ文字列が検出された場合には（Ｓ６：Ｙｅｓ）、個別距離読出プログラム７４により、検出した用途文字列に対応する個別マーク間距離Ａ２を読み出す（Ｓ７）。個別マーク間距離Ａ２を読み出したら、検出された特定文字列の数ｉをカウントアップすると共に、合計値ｔに読み出した個別マーク間距離Ａ２を加算する（ｉ＝ｉ＋１、ｔ＝ｔ＋Ａ２）（Ｓ８）。一方、サイズ文字列が検出されない場合には（Ｓ６：Ｎｏ）、なにもせずに次の工程に進む。なお、本例では、入力したテキストデータ中にサイズ文字列が含まれないため、サイズ文字列が検出されない。
【００４６】
次に、ＣＰＵ６５は、文字列検出プログラム７３により、入力したテキストデータ中の値段文字列の検出を行なう（Ｓ９）。値段文字列が検出された場合には（Ｓ９：Ｙｅｓ）、個別距離読出プログラム７４により、検出した値段文字列に対応する個別マーク間距離Ａ３を読み出す（Ｓ１０）。個別マーク間距離Ａ３を読み出したら、検出された特定文字列の数ｉをカウントアップすると共に、合計値ｔに読み出した個別マーク間距離を加算する（ｉ＝ｉ＋１、ｔ＝ｔ＋Ａ３）（Ｓ１１）。一方、値段文字列が検出されない場合には（Ｓ９：Ｎｏ）、なにもせずに次の工程に進む。なお、本例では、テキストデータ中の「８００円」が値段文字列であるため、「８００円」（５００円以上、１０００円未満）に対応する個別マーク間距離Ａ３（１２ｃｍ）を読み出し、パラメータの計算を行なう（ｉ＝１＋１＝２、ｔ＝１０ｃｍ＋１２ｃｍ＝２２ｃｍ）。
【００４７】
次に、ＣＰＵ６５は、文字列検出プログラム７３により、入力したテキストデータ中の名称文字列の検出を行なう（Ｓ１２）。名称文字列が検出された場合には（Ｓ１２：Ｙｅｓ）、個別距離読出プログラム７４により、検出した名称文字列に対応する個別マーク間距離Ａ４を読み出す（Ｓ１３）。個別マーク間距離Ａ４を読み出したら、検出された特定文字列の数ｉをカウントアップすると共に、合計値ｔに読み出した個別マーク間距離Ａ４を加算する（ｉ＝ｉ＋１、ｔ＝ｔ＋Ａ４）（Ｓ１４）。一方、名称文字列が検出されない場合には（Ｓ１２：Ｎｏ）、なにもせずに次の工程に進む。なお、本例では、入力したテキストデータ中に名称文字列が含まれないため、名称文字列が検出されない。
【００４８】
これら検出処理が終了したら、ＣＰＵ６５は、マーク間距離設定プログラム７５により、マーク間距離の算出、設定を行なう（Ｓ１５〜Ｓ１７）。まず、検出された特定文字列の数ｉが０より大きいか否かを判定する（Ｓ１５）。検出された特定文字列の数ｉが０以下であると判定された場合（すなわち、１の特定文字列も検出されなかった場合）（Ｓ１５：Ｙｅｓ）、マーク間距離Ｔを標準マーク間距離（１０ｃｍ）に設定する（Ｔ＝１０ｃｍ）（Ｓ１７）。
【００４９】
一方、検出された特定文字列の数ｉが０より大きいと判定された場合（Ｓ１５：Ｎｏ）、個別マーク間距離の合計値ｔを特定文字列の数ｉで割り、読み出した個別マーク間距離の平均値を算出してマーク間距離Ｔに設定する（Ｔ＝ｔ／ｉ）（Ｓ１６）。本例では、ｉ＝２、ｔ＝２２であるため、Ｔ＝２２／２＝１１ｃｍがマーク間距離となる。
【００５０】
マーク間距離を設定したら、ＣＰＵ６５は、テープ長設定プログラム７７により、マーク間距離に基づいて、テープ長を設定する（Ｓ１８）。本例では、マーク間距離以外の部分の長さ（固定長）に、設定したマーク間距離「１１ｃｍ」を加算して、テープ長を設定する。
【００５１】
その後、印刷プログラム７８により、生成した印字データと、設定したマーク間距離を隔てて位置した切込みカットマーク８および通し穴カットマーク９と、から成る印刷データを、印刷テープＴに印刷する（Ｓ１９）。印刷処理が終わったら、切断部３３により、設定したテープ長となるように、印刷テープＴを切断する（Ｓ２０）。これにより、図１（ｃ）に示すような原型ラベル７が作成される。
【００５２】
以上のような構成によれば、入力したテキストデータに基づいて、印字データを生成して、印字する。また、入力したテキストデータに基づいて、マーク間距離を設定する。このように、入力した１のテキストデータに基づいて、花卉用ラベル１の印字およびマーク間距離の設定を行うことができるため、印字用とマーク間距離設定用とで２回の入力を必要とせず、花卉用ラベル１の作成処理を容易に行うことができる。
【００５３】
また、設定したマーク間距離に基づいて、テープ長を設定することにより、適切なテープ長の花卉用ラベル１を作成することができる。なお、本実施形態では、設定したマーク間距離に基づいてテープ長を設定したが、加えて、印字データに基づいて、テープ長を設定する構成であっても良い。
【００５４】
さらに、一対の切込み線２,２と通し穴３とで花卉に括りつける花卉用ラベル１を作成することにより、確実な巻付け固定が可能な花卉用ラベル１を容易に作成することができる。なお、本実施形態においては、一対の切込み線２,２、通し穴３の形状を模した切込みカットマーク８および通し穴カットマーク９を印刷したが、一対の切込み線２,２および通し穴３の位置の目安と成るものであれば、これに限るものではなく、単に切込み線２,２および通し穴３の位置を示す目印を印刷するものであっても良い。
【００５５】
またさらに、複数種の特定文字列が、巻付け対象となる花卉の情報（名称、値段、用途およびサイズ）を示す文字列を含んでいることにより、テキストデータ中のこれら情報から、適切な巻き代（マーク間距離）を設定することができる。なお、名称文字列、値段文字列、用途文字列およびサイズ文字列を全て含む必要はなく、これらのうち、幾つかのみを含むものであってよい。また、各種文字列は、花卉の情報を示すことが可能であれば、一般的に判別できる文字列に限るものではなく、入力するテキストデータに一定のルールを決めておいて、そのルール上で判別できる文字列を特定文字列としても良い。例えば、名称文字列の場合、各花卉の名称と半角数字とを対応付けておき（「バラ」は「1」「チューリップ」は「2」）、入力するテキストデータとして各花卉の名称を示す以外に半角数字を使わないものとルール付けておく。名称文字列として半角数字を設定しておけば、ユーザが半角数字を入力した際に、半角数字によって示された花卉の名称に対応して、マーク間距離が設定される。なお、そのまま、半角数字を印字データとして印刷しても良いが、半角数字に対応した文字列（例えば、「バラ」）を印字データとして印刷する構成であっても良い。
【００５６】
なお、本実施形態においては、入力したテキストデータと、生成された印字データの記載とが同一のものであったが、これらが相違であっても良い。例えば、テキストデータとして、花卉の製造番号および花卉の名称を入力し、そのうち、花卉の名称のみを印字する構成であっても良い。
【００５７】
次に、図７および図８を参照して、第２実施形態のテープ印刷装置１０について、第１実施形態と異なる点を主に説明する。図７（ａ）は、このテープ印刷装置１０で作成される花卉用ラベル１の原型となる原型ラベル７を示した図であり、図７（ｂ）は花卉用ラベル１を示した図である。図７に示すように、テープ印刷装置１０は、印字領域４に印字をせず、ユーザが自由に書き込みできる花卉用ラベル１の原型ラベル７を作成するものである。図８は、テープ印刷装置１０の制御ブロック図である。テープ印刷装置１０は、図４に記載の各プログラムから、印字データ生成プログラム７６を除いた構成となっている。すなわち、印字を行なわないため、マーク間距離を設定するためにテキストデータを入力する。また、切込みカットマーク８および通し穴カットマーク９のみを印刷データとして印刷する。このように、第２実施形態によれば、入力した花卉の情報に対応して、適切なテープ長の花卉用ラベル１を作成することができる。
【００５８】
以上、第１実施形態および第２実施形態によれば、各花卉に対応した巻き代を有する花卉用ラベル１を作成することができる。また、複数の係止部を有する必要がないため、花卉用ラベル１を容易に作成することができる。
【００５９】
なお、第１実施形態および第２実施形態においては、花卉用ラベル１の作成時に、対象花卉に関連するテキストデータを入力する構成であったが、予め、複数のテキストデータを含むリストを入力しておき、花卉用ラベル１の作成時に、リストの中からテキストデータを選択し、当該テキストデータに基づいて、原型ラベル７を作成する構成であっても良い。
【００６０】
また、第１実施形態および第２実施形態においては、特定文字列として、名称文字列、値段文字列、用途文字列およびサイズ文字列を記載したが、対象花卉に関する情報であり、対象花卉における巻付け部分と関係する情報であれば、これに限るものではない。例えば、単に巻付け部分の太さを入力するものでも良い。
【００６１】
また、第１実施形態および第２実施形態では、テープ印刷装置１０に、印刷テープＴをセットし、印刷テープＴを切断して、原型ラベル７を作成したが、テープ印刷装置１０に、予め一定の長さに形成された短冊状のラベルをセットして、原型ラベル７を作成する構成であっても良い。かかる場合、テープ印刷装置１０において、切断部３３を省略することができる。
【００６２】
また、テープ印刷装置１０とは別体となる専用切断機器を用いて、一対の切込み線２,２および通し穴３を形成したが、一対の切込み線２,２および通し穴３を形成するカット手段をテープ印刷装置１０と一体としてもよい。この場合、テープ印刷装置１０により花卉用ラベル１が簡易に作成できる。また、かかる際に、カットマーク８,９の印刷を省略して、直接、一対の切込み線２,２および通し穴３を形成しても良い。
【図面の簡単な説明】
【００６３】
【図１】花卉用ラベルおよび原型ラベルの一例を示した図である。
【図２】本発明の実施形態に係るテープ印刷装置の閉蓋状態における外観斜視図である。
【図３】本実施形態に係るテープ印刷装置の開蓋状態における外観斜視図である。
【図４】テープ印刷装置の制御ブロック図である。
【図５】記憶テーブルを示した図である。
【図６】テープ印刷装置における１組のケーブルラベルの作成動作について示したフローチャートである。
【図７】第２実施形態の花卉用ラベルおよび原型ラベルの一例を示した図である。
【図８】第２実施形態のテープ印刷装置の制御ブロック図である。
【符号の説明】
【００６４】
１：花卉用ラベル、  ２：切込み線、  ３：通し穴、  ７：原型ラベル、  ８：切込みカットマーク、  ９：通し穴カットマーク、  １０：テープ印刷装置、  ３３：切断手段、  ６１：操作部、  ６２：印刷部、  ６５：ＣＰＵ、  ７１：テキスト入力プログラム、  ７２：個別距離ＤＢ、  ７３：文字列検出プログラム、  ７４：個別距離読出プログラム、  ７５：マーク間距離設定プログラム、  Ｔ：印刷テープ
【図１】
2009226688.tif 000003
【図２】
2009226688.tif 000004
【図３】
2009226688.tif 000005
【図４】
2009226688.tif 000006
【図５】
2009226688.tif 000007
【図６】
2009226688.tif 000008
【図７】
2009226688.tif 000009
【図８】
2009226688.tif 000010